(57)【要約】【課題】中空状の弾性体を用いた枕では、全体が頭の形状に沿って陥没し底つきは感無くとも、スポンジを用いたものと大差なく、更に、多数のコイルスプリングを内装して弾性力を付与した枕では、多数の点で頭が押圧されることから違和感があり、更には、部品点数も多く成っていた。【解決手段】本発明は、底面と曲面を有した上面と側面とから成る枕において、枕１の頭部が当接する位置に形成した凹陥部２と、凹陥部に穿設した貫通孔３と、貫通孔の下方に固定した固定部材４と、固定部材に立設させコイルスプリング５と、コイルスプリングの上方に固定した外形が凹陥部と相似する形状に形成した遊動枕部６とを備え、凹陥部の内側と遊動枕部の外側との間に遊動間隙７を設けると共に、コイルスプリングは弾性力を常に上方に付与しており、更に、上面を覆う枕カバー８を備えた。【選択図】図１
2004130036.tif 000002
【特許請求の範囲】
【請求項１】
平坦状の底面と前方が稍低く後方が稍高い曲面を有した上面と適宜な高さを有した側面とから成る枕において、枕の人間の頭部が当接する位置に上方が短円柱状で下方が中心方向に下がる傾斜面を形成した凹陥部と、該凹陥部の底部中心に縦方向に穿設した貫通孔と、該貫通孔の下方を塞ぐように固定した固定部材と、該固定部材に立設させ前記貫通孔の上方まで延設させたコイルスプリングと、該コイルスプリングの上方に固定され常に上方に弾性力を付与された外形が前記凹陥部と相似する形状に形成した遊動枕部とを備え、前記凹陥部に挿入する遊動枕部は前記凹陥部の内側と該遊動枕部の外側との間に遊動間隙を設けると共に、前記コイルスプリングは人間の頭の重さによって前記遊動枕部が前記凹陥部に略埋没する程度の弾性力を付与していることを特徴とする枕。
【請求項２】
前記枕の少なくとも上面を覆う枕カバーを備えたことを特徴とする請求項１に記載の枕。
【発明の詳細な説明】
【０００１】
【産業上の利用分野】
本発明は、睡眠を取るときに頭の下に置く枕に関するものであり、更に詳細には、頭が当接する部位に遊動枕部を備えており、心地よく安眠状態に移れると共に、寝返り等で頭を動かしても絶えず一定の弾性力で頭を支持してくれる枕に関するものである。
【０００２】
【従来技術】
従来から、枕には個人個人の夫々好みがあり、フィットする枕を見つけることがなかなか困難な状態であり、その為に、各寝具メーカーではそば殻枕、籾殻枕、羽毛枕、スポンジ枕等の多種多様な枕を製造販売しているが、それでも、フィットする枕が見つからないのが実情である。
【０００３】
その為に、中空状の筒状部材の弾性体を用いて形成した底つき感のない枕（特許文献１参照）や、縦方向に多数のコイルスプリングを内装して弾性力を付与した枕（特許文献２参照）（特許文献３参照）が開示されている。
【０００４】
【特許文献１】
特開平７−２３８４１号公報（第１頁、図１）
【特許文献２】
特開平１１−２０６５１７号公報（第１図）
【特許文献３】
特開平１１−３３２７１２号公報（第１図）
【０００５】
【解決しようとする課題】
然し乍ら、中空状の筒状部材の弾性体を用いた底つき感のない枕では、全体が頭の形状に沿って陥没し底つきは感無くとも、従来のスポンジを用いたものと大差なく、更に、多数のコイルスプリングを内装して弾性力を付与した枕では、頭の形状に沿って枕は変形するものの多数の点で頭が押圧されることから違和感があり、更には、部品点数も多くなり高価なものと成っていた。
【０００６】
【課題を解決するための手段】
本発明は、前述の課題に鑑み、鋭意研鑽の結果、平坦状の底面と前方が稍低く後方が稍高い曲面を有した上面と適宜な高さを有した側面とから成る枕において、枕の人間の頭部が当接する位置に上方が短円柱状で下方が中心方向に下がる傾斜面を形成した凹陥部と、凹陥部の底面中心の縦方向に穿設した貫通孔と、貫通孔の下方を塞ぐように固定した固定部材と、固定部材に立設させ貫通孔の上方まで延設させたコイルスプリングと、コイルスプリングの上方に固定した外形が凹陥部と相似する形状に形成した遊動枕部とを備え、凹陥部に挿入する遊動枕部は凹陥部の内側と遊動枕部の外側との間に遊動間隙を設けると共に、コイルスプリングは人間の頭の重さによって遊動枕部が凹陥部に略埋没する程度の弾性力を常に上方に付与しているものであり、更に、枕の少なくとも上面を覆う枕カバーを備えたものである。
【０００７】
【発明の作用】
本発明の枕は、枕の人間の頭部が当接する位置に凹陥部を形成し、凹陥部に遊動枕部を挿入させ、凹陥部の内側と遊動枕部の外側との間に遊動間隙を設けると共に、コイルスプリングは人間の頭の重さによって遊動枕部が凹陥部に略埋没する程度の弾性力を常に上方に付与しているため、頭を移動させると遊動枕部がついてくるように遊動して、適宜な弾性力が絶えず下方から付与され恰も空中に浮かんでいるような感覚と成り安眠を誘導されるものである。
【０００８】
従って、本発明の目的は、遊動枕部を設けたことにより頭が絶えず下方からの適宜な弾性力で付与されるため、安眠を誘導される枕を提供するものである。
【０００９】
【発明の実施の形態】
以下、本発明の枕の実施の形態の図面によって具体的に説明する。
【００１０】
図１は本発明の枕の実施の形態の概要を説明するための要部断面図であり、図２は本発明の枕の実施の形態の平面図である。
【００１１】
本発明は、睡眠を取るときに頭の下に置く枕に関するものであり、更に詳細には、頭が当接する部位に遊動枕部６を備えており、心地よく安眠状態に移れると共に、寝返り等で頭を動かして絶えず一定の弾性力で頭を支持してくれる枕１に関するものであり、請求項１に記載の枕は、平坦状の底面１ａと前方が稍低く後方が稍高い曲面を有した上面１ｂと適宜な高さを有した側面１ｃとから成る枕１において、枕１の人間の頭部が当接する位置に上方が短円柱状で下方が中心方向に下がる傾斜面を形成した凹陥部２と、該凹陥部２の底面中心の縦方向に穿設した貫通孔３と、該貫通孔３の下方を塞ぐように固定した固定部材４と、該固定部材４に立設させ前記貫通孔３の上方まで延設させたコイルスプリング５と、該コイルスプリング５の上方に固定した外形が前記凹陥部２と相似する形状に形成した遊動枕部６とを備え、前記凹陥部２に挿入する遊動枕部６は前記凹陥部２の内側と該遊動枕部６の外側との間に遊動間隙７を設けると共に、前記コイルスプリング５は人間の頭の重さによって前記遊動枕部６が前記凹陥部２に略埋没する程度の弾性力を常に上方に付与しているものである。
【００１２】
更に、請求項２に記載の枕は請求項１に記載の枕において、前記枕１の少なくとも上面１ｂを覆う枕カバー８を備えたことものである。
【００１３】
即ち、本発明の枕は、図１乃至図２に図示する如く、敷き布団の上に安定して載置できる平坦状の底面１ａと、前方が稍低く後方が稍高い緩やかなＳ字状の曲面を有した上面１ｂと、前方が略７０ｍｍに最高部が略１００ｍｍ程度の適宜な高さを有した側面１ｃから成るものであり、木又は稍硬質の合成樹脂等で形成しているものである。
【００１４】
そして、凹陥部２は人間の頭部が当接する位置に形成するもので、上方を略人間の頭の大きさの直径が略１８０ｍｍ程度の円形とした短円柱状に形成し、該短円柱状の下方に中心方向に下がる傾斜面を形成した漏斗状のものである。
【００１５】
次に、貫通孔３は前記凹陥部２の底部中心の縦方向に穿設したもので、後述するコイルスプリング５を貫設させると共に、後述する固定部材４で下方を塞いでいるものである。
【００１６】
次いで、固定部材４は前記貫通孔３の下方を塞ぐように固定しているもので、実施の形態では板状部４ａと管状部４ｂとから成り、板状部４ａは枕１の底面１ａの貫通孔３の周辺に板状部４ａが挿入できる板状部挿入部を形成して、該板状部挿入部に埋設状態で挿入させると共に、板状部４ａの中心に管状部４ｂを貫通孔３の内側に立設させ、ビス等によって枕１の底面１ａに着脱可能に固定し、管状部４ｂの中心に位置させるように後述するコイルスプリング５を立設させているものである。
【００１７】
更に、コイルスプリング５は下端を前記固定部材４に立設させ上端を貫通孔３の上方まで延設させると共に、コイルスプリング５は変形しても周りに接触しないように中心に立設させているものであり、前記固定部材４を取り外すことにより弾性力の相違するコイルスプリング５と交換を可能としているもので、各自の好みや頭の重量によって弾性力を調整可能としているものである。
【００１８】
更には、遊動枕部６はコイルスプリング５の上方に固定するもので、外形は前記凹陥部２と相似する形状、つまり、上方を短円柱状に形成し、下方を緩やかな円錐状に形成しているもので、遊動枕部６の下方とコイルスプリング５の上端との固定は実施の形態では遊動枕部６の底部に傘状の固定座金部材を埋設させて固定しているものであるが、その手段は特に問わないものである。
【００１９】
そして、遊動間隙７は凹陥部２に遊動枕部６を挿入した状態で、凹陥部２の内側と遊動枕部６の外側との間に設けているもので、コイルスプリング５で遊動枕部６を下方から持ち上げるように固定しており、側方及び下方に夫々１０ｍｍ以上の間隔を有しているものである。
【００２０】
更には、コイルスプリング５は人間の頭の重さによって遊動枕部６が凹陥部２に略埋没する程度の弾性力を常に上方に付与しているもので、つまり、通常の睡眠時にかかる荷重では凹陥部２の内側と遊動枕部６の外側とは接触しない程度に弾性力を付与しているものである。
【００２１】
更には、枕カバー８は少なくとも枕１の上面１ｂを覆うものであり、実施の形態では、枕１の上面１ｂを被うと共に、側面１ｃと底面１ａの外周辺を被っているものであり、麻、メッシュ状の不織布等の通気性を有しているものが好適なものである。
【００２２】
【発明の効果】
本発明の枕は、前述の構成により、枕の人間の頭部が当接する位置に凹陥部を形成し、凹陥部に遊動枕部を挿入させ、凹陥部の内側と遊動枕部の外側との間に遊動間隙を設けると共に、各自の好みに合わせてコイルスプリングの交換は可能で弾性力を調整できるものであり、更に、コイルスプリングは人間の頭の重さによって遊動枕部が凹陥部に略埋没する程度の弾性力を常に上方に付与しているため、頭を移動させると遊動枕部がついてくるように遊動して、適宜な弾性力が下方から付与され恰も空中に浮かんでいるような感覚と成り安眠を誘導されるもので、画期的で実用性の高い発明である。
【図面の簡単な説明】
【図１】図１は本発明の枕の実施の形態の概要を説明するための要部断面図である。
【図２】図２は本発明の枕の実施の形態の平面図である。
【符号の説明】
１　　　枕
１ａ　　底面
１ｂ　　上面
１ｃ　　側面
２　　　凹陥部
３　　　貫通孔
４　　　固定部材
４ａ　　板状部
４ｂ　　管状部
５　　　コイルスプリング
６　　　遊動枕部
７　　　遊動間隙
８　　　枕カバー
【図１】
2004130036.tif 000003
【図２】
2004130036.tif 000004